(57)【要約】【課題】光ディスクにホログラムをどのように配置させるかを編集する際に操作性が悪化するのを防止する。【解決手段】光ディスクのうち、画像形成が可能な領域を、ホストコンピュータの表示装置にウィンドウ画面２５１として表示させるとともに、このウィンドウ画面２５１を用いて画像のレイアウトさせる。ここで、ホログラムについては、その内容を示すホログラムデータではなく、プレビューデータに基づいた画像２５３（Ｐ１）、２５４（Ｐ２）で簡易表示させる一方、ホログラムではない画像については、その内容を示すイメージデータに基づいた画像２５５（Ｓ１）で表示させる。画像の配置変更は、ポインタ２５７を用いて、画像を移動させることによってなされる。【選択図】      図６
2004271842.tif 000002
【特許請求の範囲】
【請求項１】
光ディスクを回転させるとともに、該光ディスクにレーザ光を照射して、供給されたデータに基づいて画像を形成する光ディスクドライブと、
前記光ディスクのうち、画像形成が可能な領域を表示する表示手段と、
前記光ディスクにホログラムを形成するためのホログラムデータと、当該ホログラムに対応し、当該ホログラムを簡易表示するためのプレビューデータとを記憶する記憶手段と、
記憶されたプレビューデータに基づく画像を、前記領域のうち、指定された位置に表示させるように、前記表示手段の表示を制御する表示制御手段と、
予め定められた指示があった場合、前記表示手段に表示された画像に対応するホログラムが前記光ディスクに形成されるように、前記光ディスクドライブに前記ホログラムデータを供給する供給手段と
を具備することを特徴とする光ディスク記録装置。
【請求項２】
前記記憶手段は、前記光ディスクに画像を形成するためのイメージデータを記憶し、
前記表示制御手段は、前記表示手段に対し、記憶されたイメージデータに基づく画像を、前記領域のうち、指定された位置に表示させる
ことを特徴とする請求項１に記載の光ディスク記録装置。
【請求項３】
光ディスクを回転させるとともに、該光ディスクにレーザ光を照射して、供給されたデータに基づいて画像を形成する光ディスクドライブに接続されるとともに、
前記光ディスクのうち、画像形成が可能な領域を表示する表示手段と、
前記光ディスクにホログラムを形成するためのホログラムデータと、当該ホログラムに対応し、当該ホログラムを簡易表示するためのプレビューデータとを記憶する記憶手段とを備えたコンピュータに対し、
記憶されたプレビューデータに基づく画像を、前記領域のうち、指定された位置に表示させるように、前記表示手段の表示を制御する表示制御機能と、
予め定められた指示があった場合、前記表示手段に表示された画像に対応するホログラムが前記光ディスクに形成されるように、前記光ディスクドライブに前記ホログラムデータを供給する供給機能と
を実現させるためのプログラム。
【発明の詳細な説明】
【０００１】
【発明の属する技術分野】
本発明は、ＣＤ−Ｒ（Ｃｏｍｐａｃｔ  Ｄｉｓｃ−Ｒｅｃｏｒｄａｂｌｅ）などの光ディスクに、可視画像を形成するための光ディスク記録装置およびプログラムに関する。
【０００２】
【従来の技術】
一般に、ＣＤ−Ｒなどの光ディスクにおいて、その記録面に記録されたデータの内容を肉眼で識別することはできないので、記録面だけみて、光ディスクを識別することは困難である。そこで、光ディスクに、文字や、記号、絵写真などの画像を形成することによって、光ディスクを外観的に識別できるような技術が提案されている。この技術によれば、画像は、ドットに応じた強度でレーザ光を照射し、記録面の一部を変色させることによって形成される。
【０００３】
光ディスクへの画像の形成は、ホストコンピュータに光ディスクドライブが接続された構成において、ホストコンピュータ上にて画像形成用（例えば、ライティングやオーサリング用）のアプリケーションプログラムを実行することによって実行される。
ここで、該アプリケーションプログラムを実行すると、光ディスクの記録面のうち、当該データが記録された領域（または、データを記録すべき領域）を除外した画像形成の可能な領域が画面表示される。そして、ユーザは、画面表示された領域において、所望の画像をカット＆ペーストなどで配置したり、テキスト文を入力・配置したりする編集の後に、書込指示をすると、ホストコンピュータは、必要なデータを光ディスクドライブに供給する一方、光ディスクドライブは、供給されたデータにしたがって画像を形成する構成となっている。
ところで近年では、文字記号や絵写真などの一般的な画像に加えて、ドットを近接配置して、一種の回折格子を形成し、この回折光を用いたホログラムを光ディスクに形成する技術が提案されている（例えば、特許文献１参照）。
【０００４】
【特許文献１】
特開平１０−１１８０４号公報
【０００５】
【発明が解決しようとする課題】
しかしながら、ホログラムを形成するためのデータは非常に膨大である。例えば、ホログラムの形成領域が２ｃｍ角であって、回折光を得るためにドットの間隔が１μｍである場合、単純計算しても、２０，０００×２０，０００ドットとなって、４００Ｍｂｉｔ、すなわち５０Ｍｂｙｔｅのデータ量となる。このため、ホストコンピュータにおいて、表示された画像形成可能領域にホログラムをペーストなどしたり、移動させたりする処理の負荷が大きくなって、操作性が悪化する、といった問題があった。
【０００６】
本発明は、このような事情に鑑みてなされたものであり、その目的とすることろは、形成すべきホログラムを光ディスクに対して編集する際に、操作性の悪化を防止した光ディスク記録装置、および、プログラムを提供することにある。
【０００７】
【課題を解決するための手段】
上記目的を達成するために、本発明に係る光ディスク記録装置は、光ディスクを回転させるとともに、該光ディスクにレーザ光を照射して、供給されたデータに基づいて画像を形成する光ディスクドライブと、前記光ディスクのうち、画像形成が可能な領域を表示する表示手段と、前記光ディスクにホログラムを形成するためのホログラムデータと、当該ホログラムに対応し、当該ホログラムを簡易表示するためのプレビューデータとを記憶する記憶手段と、記憶されたプレビューデータに基づく画像を、前記領域のうち、指定された位置に表示させるように、前記表示手段の表示を制御する表示制御手段と、予め定められた指示があった場合、前記表示手段に表示された画像に対応するホログラムが前記光ディスクに形成されるように、前記光ディスクドライブに前記ホログラムデータを供給する供給手段とを具備することを特徴とする。本発明によれば、表示手段には、ホログラムに対応したプレビューデータに基づく画像が、ホログラムに替えて表示されるので、当該画像を用いた編集等の処理負荷が低くて済む。
本発明において、前記記憶手段は、前記光ディスクに画像を形成するためのイメージデータを記憶し、前記表示制御手段は、前記表示手段に対し、記憶されたイメージデータに基づく画像を、前記領域のうち、指定された位置に表示させる構成が好ましい。この構成によれば、表示手段には、ホログラムについては、それ自体ではなく、プレビューデータに基づく画像が表示されるが、イメージデータについては、それ自体に基づく画像がそのまま表示されることになる。
【０００８】
また、本発明に係るプログラムは、光ディスクを回転させるとともに、該光ディスクにレーザ光を照射して、供給されたデータに基づいて画像を形成する光ディスクドライブに接続されるとともに、前記光ディスクのうち、画像形成が可能な領域を表示する表示手段と、前記光ディスクにホログラムを形成するためのホログラムデータと、当該ホログラムに対応し、当該ホログラムを簡易表示するためのプレビューデータとを記憶する記憶手段とを備えたコンピュータに対し、記憶されたプレビューデータに基づく画像を、前記領域のうち、指定された位置に表示させるように、前記表示手段の表示を制御する表示制御機能と、予め定められた指示があった場合、前記表示手段に表示された画像に対応するホログラムが前記光ディスクに形成されるように、前記光ディスクドライブに前記ホログラムデータを供給する供給機能とを実現させることを特徴とする。
【０００９】
【発明の実施の形態】
以下、本発明の実施形態について図面を参照して説明する。図１は、実施形態に係る光ディスク記録装置の構成を示すブロック図である。この図に示されるように、光ディスク記録装置１００は、ホストコンピュータ２００に光ディスクドライブ３００を接続した構成となっている。
【００１０】
このうち、ホストコンピュータ２００は、光ディスクドライブ３００にセットされた光ディスク３１０に形成すべき画像の選択・編集を実行するものである。このため、ホストコンピュータ２００は、各部を制御するＣＰＵ（Ｃｅｎｔｒａｌ  Ｐｒｏｃｅｓｓｉｎｇ  Ｕｎｉｔ）２１０、基本プログラム等を記憶するＲＯＭ（Ｒｅａｄ  Ｏｎｌｙ  Ｍｅｍｏｒｙ）２２０、一時作業領域等として用いられるＲＡＭ（Ｒａｎｄｏｍ  Ａｃｃｅｓｓ  Ｍｅｍｏｒｙ）２３０、各種のプログラムやデータを記憶する記憶装置２４０、ＣＲＴや液晶パネルなどの表示装置２５０、キーボードやマウスなどの入出力装置２６０、光ディスクドライブ３００を接続するためのインターフェース（Ｉ／Ｆ）２７０を有し、これらは、互いにバスＢを介して接続されている。
【００１１】
これらのうち、記憶装置２４０には、第１にオペレーションシステム、第２に光ディスク３１０に画像を形成するための専用アプリケーションプログラム、第３に光ディスク３１０に形成すべき画像データが、それぞれ記憶されている。ここで、光ディスク３１０に形成すべき画像データは、文字や、記号、絵写真などの単純なイメージデータと、ホログラムを形成するためのホログラムデータとに大別される。
イメージデータは、その画像をドット（画素）に分解したビットマップ形式に変換可能であれば、その形式は問われない。また、ホログラムデータは、例えば３次元物体の形状や色を規定するデータからホログラムをコンピュータで計算合成して得たものであり、回折光を得るための格子をドットとして規定する。ここで、ホログラムにおけるドット間隔は、回折光を得るために非常に狭く、約１μｍ程度である。これに対し、イメージデータで示される画像のドット間隔は、約１００μｍ程度である。したがって、ホログラムデータの容量は、イメージデータの容量に対し画像面積が同一であれば、約１万倍となる。
【００１２】
そこで、本実施形態では、ホログラムの各々に対して、ホログラムを簡易表示させるためのプレビューデータが用意される。このプレビューデータは、そのホログラムを特定の角度から視認した場合の簡略画像を、上記イメージデータと同様な形式で規定するものである。
本実施形態において、記憶装置２４０には、図２に示されるように、画像データとして、ホログラムデータとイメージデータとが、それぞれ複数種類記憶され、さらに、ホログラムデータの各々に対して、プレビューデータが対となってそれぞれ記憶されている。
ここで、図２においてホログラムデータＣ１は、立方体のホログラムを形成するためのデータであり、それに対応するプレビューデータＰ１は、当該立方体の正面を示す四角形のイメージデータである。また、ホログラムデータＣ２は、円錐のホログラムを形成するためのデータであり、それに対応するプレビューデータＰ２は、当該円錐の側面を示す三角形のイメージデータである。なお、イメージデータＳ１、Ｓ２は、予めユーザによって用意された、または、ユーザによって作成されたビットマップデータである。
【００１３】
なお、ホログラムに対応するプレビューデータは、ホログラムデータを計算合成する際に同時に作成するようにしても良いし、別途用意されるアプリケーションプログラムを実行することによって、ホログラムデータから、そのホログラムを特定の角度で視認される画像をイメージデータとして生成するようにしても良い。
【００１４】
説明を再び図１に戻すと、光ディスクドライブ３００は、光ディスク３１０を回転させるスピンドルモータ３２０と、光ディスク３１０にレーザ光ＬＢを照射する一方、その反射光を取得するピックアップ３３０と、これらを制御するとともに、インターフェース２７０に接続された制御部３４０とを有する。このうち、スピンドルモータ３２０には図示せぬ回転検出器が取り付けられて、１回転する毎にパルスを伴う検出信号を、制御部３４０に供給する。
なお、この図において光ディスクドライブ３００は、ホストコンピュータ２００に対して外付けとなっているが、内蔵する構成であっても良い。
【００１５】
ここで、光ディスクドライブ３００においてデータを記録する場合、制御部３４０は、スピンドルモータ３２０を回転させる一方、ピックアップ３３０のレーザ光ＬＢを、光ディスク３１０の記録面に形成された螺旋状グルーブ（図示省略）をトレースするように照射させるとともに、ホストコンピュータ２００から供給されたデータを予め定められた規則にしたがったパルス列に変換し、当該パルス列に応じてレーザ光ＬＢの強度を制御する。これにより、光ディスク３１０には、レーザ光ＬＢの照射に応じて変色したピットがグルーブに沿って形成されて、データが記録されることになる。なお、記録したデータを再生する場合には、ピットに照射したレーザ光の戻り光の出力からパルス列を取得し、これを上記規則とは逆に変換することで、記録したデータが得られる。
【００１６】
また、光ディスクドライブ３００において画像を形成する場合、本実施形態において光ディスク３１０は、回転によって主走査され、ピックアップ３３０を光ディスク３１０の径方向に移動によって副走査される。ここで、光ディスク３１０において主走査軌跡は同心円上となるので、径方向に仮想的な基準線を定めるとともに、副走査時に、当該基準線からどれだけ回転したを知る必要がある。そこで、本実施形態においては、上記回転検出器からの検出信号においてパルスが発生したときにレーザ光の照射点と光ディスクの中心とを結ぶ直線を上記基準線とし、検出信号の周波数を逓倍するとともに、該逓倍した信号の立ち上がりをカウントすることで、当該基準線からどれだけ回転したを知ることができる。例えば検出信号の逓倍率が「３６００」であれば、その逓倍信号の１周期は、光ディスク３１０が０．１度（＝３６０／３６００）だけ回転する期間に相当するからである。
このため、光ディスクドライブ３００において、光ディスク３１０が回転するとき、レーザ光の照射点が、主走査・副走査において、どの座標に位置するのかを上記回転検出器の検出信号から知ることができるようになっている。
【００１７】
次に、光ディスク記録装置１００によって画像を形成する場合の動作について説明する。図３は、その形成手順を示すフローチャートである。
まず、ユーザが、画像を形成したい光ディスク３１０を光ディスクドライブ３００にセットするとともに、画像形成用のアプリケーションプログラムを起動すると、ＣＰＵ２１０は、図４に示されるようなウィンドウ画面２５１を表示するように、表示装置２５０を制御する（ステップＳｐ１）。すなわち、ＣＰＵ２１０は、セットされた光ディスク３１０においてデータがすでに記録された領域を検出するとともに、光ディスク３１０の記録面のうち、データが記録された領域を除外して、画像形成可能領域として示すウィンドウ画面２５１を、表示装置２５０に表示させる。
光ディスク３１０において、データは内周側から外周側に向かって形成されるので、記録されたデータ容量が多くなるにつれて、画像形成可能領域の内周端２５２が矢印の方向に拡がって、それだけ画像形成可能領域が狭められることになる。なお、ウィンドウ画面２５１とは別に、各種の作業内容を指示するツールボックスやツールバーも表示されるが、図４以降では省略されている。
【００１８】
次に、ユーザは、入出力装置２６０を用いた操作により、光ディスク３１０に形成したい画像を、記憶装置２４０に記憶された画像データの一覧から選択するととも、画像形成可能領域内において画像形成したい位置を指定して、光ディスク３１０に対し画像をレイアウトする（ステップＳｐ２）。
ＣＰＵ２１０は、選択された画像データが、イメージデータであるか、ホログラムデータであるかを判別して、イメージデータであれば、当該イメージデータに基づく画像を、表示された画像形成可能領域に合わせて縮小または拡大するとともに、指定された位置に表示するように表示装置２５０を制御する一方、選択された画像データがホログラムデータであれば、当該ホログラムデータに対応するプレビューデータに基づく画像を、表示された画像形成可能領域に合わせて縮小または拡大するとともに、指定された位置に表示するように表示装置２５０を制御する。
【００１９】
ここでユーザが、例えば記憶装置２４０から、イメージデータＳ１に基づく画像の４個と、ホログラムデータＣ１に基づくホログラムと、ホログラムデータＣ２に基づくホログラムとを選択して、これらをレイアウトしたときに表示されるウィンドウ画面２５１の一例は、図５に示されるようなものとなる。このウィンドウ画面２５１において、画像２５５（Ｓ１）は、イメージデータＳ１に基づく画像を、表示された画像形成可能に合わせて縮小または拡大したものであるが、画像２５３（Ｐ１）は、プレビューデータＰ１に基づく画像を、画像形成可能領域に合わせて縮小または拡大したものである。同様に、画像２５４（Ｐ２）は、プレビューデータＰ２に基づく画像を、画像形成可能領域に合わせて縮小または拡大したものである。
【００２０】
すなわち、ホログラムについては、それぞれに対応したプレビューデータＰ１、Ｐ２に基づく画像が、ホログラムの代替としてウィンドウ画面２５１に表示される。
表示装置２５０に画像を表示させるためには、その画像に対応するデータを、表示する大きさに合わせて加工する必要があるが、上述したようにホログラムデータのデータ量は、イメージデータのデータ量と比較して膨大であるので、表示のために、直接ホログラムデータを加工すると、その処理の負荷が非常に大きくなる。これに対して本実施形態では、表示のために、ホログラムデータではなく当該ホログラムデータに対応したプレビューデータを加工するので、その処理の負荷を低く抑えることができる。
【００２１】
また、このように光ディスク３１０に画像をレイアウトしたときであっても、ユーザは、画像を選択するとともに移動させて（例えば、ドラッグ操作により）、位置合わせをすることもできる（ステップＳｐ３）。このとき、ＣＰＵ２１０は、選択された画像データが、イメージデータであるか、ホログラムデータであるかを判別して、イメージデータであれば、当該イメージデータに基づいて縮小また拡大した画像がドラッグ操作にしたがって移動するように表示装置２５０を制御する一方、選択された画像データがホログラムデータであれば、当該ホログラムデータに対応するプレビューデータに基づいて縮小また拡大した画像がドラッグ操作にしたがって移動するように表示装置２５０を制御する。
例えば、画像２５３（Ｐ１）を移動させる場合、ユーザは、当該画像２５３（Ｐ１）をマウスクリック等により選択するとともに、図６に示されるようにポインタ２５７によって所望の位置までドラッグ操作により移動させる。
ここで、移動する画像２５３（Ｐ１）は、ホログラムデータＣ１ではなく、簡易表示用のプレビューデータＰ１であるので、移動過程で処理するデータはプレビューデータＰ１だけで済む。このため、膨大なデータ量のホログラムデータＣ１を処理する場合と比較して、その処理負担が低減される。
【００２２】
このように、光ディスク３１０に画像のレイアウトを完了すると、ユーザは、入出力装置２６０に対して画像形成の開始を指示する（ステップＳｐ４）。
この指示により、ホストコンピュータ２００において、ＣＰＵ２１０は、画像形成可能領域のうち、中心から１２時の方向に向かう直線を、光ディスク３１０の基準線と想定して、レイアウトされた画像のうち、まずイメージデータで示される画像のドットを、上記主走査・副走査に対応した座標に変換して、光ディスクドライブ３００に供給する。一方、光ディスクドライブ３００において、制御部３４０は、スピンドルモータ３２０に対し光ディスク３１０を回転させるように指示するとともに、レーザ光の照射点が画像形成可能領域の内周端に相当する地点となるようにピックアップ３３０を移動させると、回転による主走査および内周側から外周側に向かう副走査を開始させる。そして、座標変換されたドットのうち、レーザ光の照射点位置に対応するドットに応じてレーザ光の強度を制御する。このような走査が、画像形成可能領域の外周端に相当する地点まで実行されると、光ディスク３１０には、まず、イメージデータに基づく画像が変色したドットによって形成されることになる。
【００２３】
次に、ホストコンピュータ２００において、ＣＰＵ２１０は、ホログラムデータで示されるホログラムのドットを、上記主走査・副走査に対応した座標に変換して、光ディスクドライブ３００に供給する。一方、光ディスクドライブ３００において、制御部３４０は、レーザ光の照射点が画像形成可能領域の内周端に相当する地点となるようにピックアップ３３０を再度移動させ、主走査・副走査を再度開始させる。そして、座標変換されたドットのうち、レーザ光の照射点位置に対応するドットに応じてレーザ光の強度を制御する。このような走査が、像形成可能領域の外周端に相当する地点まで実行されると、光ディスク３１０には、ホログラムデータに基づくドットによって回折格子が形成されて、ホログラムが追加形成されることになる。
【００２４】
したがって、光ディスク３１０には、図７に示されるように、ホログラムデータＣ１に基づくホログラム３１３（Ｃ１）、ホログラムデータＣ２に基づくホログラム３１４（Ｃ２）、イメージデータＳ１に基づく画像３１５（Ｓ１）の４個が、画像形成可能領域におけるレイアウトと同様な配置で形成される。
【００２５】
このように本実施形態によれば、ホストコンピュータ２００において、画像形成用のアプリケーションプログラムを実行して、ホログラムを光ディスク３１０にレイアウトするとき、ホログラムを規定するホログラムデータではなく、その簡易表示用のプレビューデータを用いているので、表示に対する処理の負担が低下して、良好な操作性を確保することができる。
【００２６】
なお、実施形態にあっては、光ディスク３１０に対し、イメージデータに基づく画像を形成した後に、ホログラムデータに基づくホログラムを形成したが、先にホログラムを形成しても良い。また、単純なイメージとホログラムとの形成を別々に分けたのは、両者においては、ドットの間隔が違うため、同一の走査で両者を同時に形成することが困難なためである。ただし、ドット間隔が整数倍の関係にあり、かつ、回転速度制御・レーザ光の強度制御が可能であれば、同一の走査で単純なイメージとホログラムとを同時に形成しても良い。
【００２７】
実施形態にあっては、すでにデータが記録された光ディスク３１０に対して画像を形成するようにしたが、ホストコンピュータ２００においてアプリケーションプログラムを実行したときに、記録すべきデータやプログラムなどを選択して、選択した容量を計算して、その容量から画像形成可能領域を逆算して求めても良い。このようなアプリケーションプログラムにおいて、書込開始の指示がなされると、記録領域の内周端からデータ等が記録され、この後、データ記録された領域にかからないように画像形成可能領域において画像が形成されることとなる。
また、光ディスク３１０に形成すべき画像については、入出力装置２６０によって入力された文字などのキャラクターを適宜配置させるとともに、そのイメージデータとして用いても良い。
【００２８】
【発明の効果】
以上説明したように本発明によれば、形成すべきホログラムを光ディスクに対して編集する際に、操作性の悪化を防止することができる。
【図面の簡単な説明】
【図１】本発明の実施形態に係る光ディスク記録装置の構成を示すブロック図である。
【図２】ホストコンピュータの記憶装置に記憶される画像データの例を示す図である。
【図３】同光ディスク記録装置の動作を説明するためのフローチャートである。
【図４】同光ディスク記録装置における表示画面の一例を示す図である。
【図５】同光ディスク記録装置における表示画面の一例を示す図である。
【図６】同光ディスク記録装置における表示画面の一例を示す図である。
【図７】同光ディスク記録装置によって画像形成された光ディスクを示す平面図である。
【符号の説明】
１００…光ディスク記録装置、２００…ホストコンピュータ、２１０…ＣＰＵ（表示制御手段、供給手段）、２４０…記憶装置（記憶手段）、２５０…表示装置（表示手段）、３００…光ディスクドライブ、３１０…光ディスク
【図１】
2004271842.tif 000003
【図２】
2004271842.tif 000004
【図３】
2004271842.tif 000005
【図４】
2004271842.tif 000006
【図５】
2004271842.tif 000007
【図６】
2004271842.tif 000008
【図７】
2004271842.tif 000009